(57)【特許請求の範囲】
【請求項１】
電子基板が取り付けられる筐体側部を正面視したときに、
前記側部の手前側から奥側へ向けて延び実装面が筐体底面に対して略垂直となるように配置され、筐体に締結される第１の電子基板と、
実装面が第１の電子基板の実装面に対して略直角となるように第１の電子基板の前記奥側の垂直辺に略平行に配置され、該奥側で筐体に締結される第２の電子基板と、
実装面が第１の電子基板の実装面に対して略直角となるように第１の電子基板の前記奥側の垂直辺と隣り合う辺に略平行に配置され、筐体に締結される第３の電子基板と、
を備え、第１の電子基板に対して第２の電子基板と第３の電子基板とがそれぞれ電気的に接続され、あるいは第１の電子基板、第２の電子基板及び第３の電子基板とが相互に電気的に接続され、
第３の電子基板は、第３の電子基板を載置して固定する載置面と、該載置面から前記奥側において第２の電子基板の実装面と略平行に起立し、該奥側で筐体に締結される第１の締結面と、前記載置面から手前側に延び筐体に締結される第２の締結面と、を備える締結部材を介して筐体に締結されることを特徴とする電子基板の取付構造。
【請求項２】
請求項１に記載の電子基板の取付構造において、
第１の電子基板は複数の第１の接続部を搭載し、第２の電子基板は前記奥側で前記複数の第１の接続部のうちの一つに接続される第２の接続部を搭載し、第３の電子基板は前記複数の第１の接続部のうちの一つに接続される第３の接続部を搭載していることを特徴とする電子基板の取付構造。
【請求項３】
請求項２に記載の電子基板の取付構造において、
第３の接続部と、これに接続される第１の接続部は、第３の電子基板と第１の電子基板のそれぞれの前記手前側に配置されていることを特徴とする電子基板の取付構造。
【請求項４】
請求項１〜３のいずれか１つに記載の電子基板の取付構造において、
前記奥側における第２の電子基板の下端と前記締結部材の第１の締結面の上端との間には上下方向において隙間が存在することを特徴とする電子基板の取付構造。
【請求項５】
請求項１〜４のいずれか１つに記載の電子基板の取付構造において、
前記締結部材の第２の締結面は、前記手前側において左右方向へ延びる筐体フレームに沿って形成され、前記手前側から前記奥側に向けて締結されることを特徴とする電子基板の取付構造。
【請求項６】
請求項１〜４のいずれか１つに記載の電子基板の取付構造において、
前記締結部材の第２の締結面は、前記手前側において左右方向へ延びる筐体フレームに沿った段差形状を有し、上側から下側に向けて締結されることを特徴とする電子基板の取付構造。
【請求項７】
請求項５又は６に記載の電子基板の取付構造において、
第２の締結面は、前記筐体フレームに対して左右方向へスライド可能なスライド面を兼ね備えることを特徴とする電子基板の取付構造。
【請求項８】
請求項１〜７のいずれか１つに記載の電子基板の取付構造において、
前記締結部材は前記載置面が分離した分割構造を有していることを特徴とする電子基板の取付構造。
【請求項９】
請求項８に記載の電子基板の取付構造において、
前記各分割構造体は、前記手前側と前記奥側での使用を相互に代替可能な形状を有していることを特徴とする電子基板の取付構造。
【請求項１０】
請求項１〜９のいずれか１つに記載の電子基板の取付構造において、
第１の電子基板は、第２及び第３の電子基板と接続する面と反対側の面に第４の電子基板を接続する第１の接続部を有し、第１の電子基板が締結される筐体の面の裏面側に第４の電子基板を締結したことを特徴とする電子基板の取付構造。
【請求項１１】
請求項１〜１０のいずれか１つに記載の電子基板の取付構造を有する電子機器。
【発明の詳細な説明】
【技術分野】
【０００１】
本発明は、電装部（電子基板収納部）における電子基板の取付構造、該電子基板の取付構造を有する画像形成装置等の電子機器に関する。
画像形成装置としては、例えば、複写機、プリンタ、ファクシミリ、プロッタ、これらのうち少なくとも１つを備えた複合機等が挙げられる。
【背景技術】
【０００２】
特許文献１には、図１３に示すように、画像形成装置１００の背面側の電装部１０２において、背面を正面視したときに、電子基板面（実装面）が手前側に向くように、且つ複数の電子基板１０４、１０６をそれぞれ横方向に接続する電子基板の取付構造が開示されている。図１３において、符号１０８は電子基板１０４の接続部（コネクタ）を、１１０は電子基板１０６の接続部（コネクタ）を示している。
この場合、ベースとなる電子基板に対し、他の電子基板や部品から這いまわされたケーブルを正面視において手前から接続することができ、作業性がよい。また、電子基板を横並びさせているため、装置の奥行方向への大きさを小さくすることが可能である。
【０００３】
特許文献２、３には、装置背面の正面視において、電子基板を、手前側から奥側へ向けて延び実装面が筐体底面に対して略垂直となるように配置し、奥側で本体側のコネクタと接続する電子基板の取付構造が開示されている。
この場合、電子基板を左右方向に間隔をおいて複数差し込み、奥側のコネクタを介してそれぞれの電子基板同士が電気的に接続する形態であるため、特許文献１の形態に比べて、電子基板を密集して配置することができ幅方向における装置の小型化が可能である。
【発明の概要】
【発明が解決しようとする課題】
【０００４】
特許文献１に記載の取付構造体では、電子基板が横並びするため幅方向（装置背面横方向）の設置スペースが必要となり、装置本体の上記幅方向におけるサイズのコンパクト化を電子基板の配置レイアウトが阻害する可能性がある。
特許文献２、３に記載の取付構造体では、上記幅方向の設置スペースを小さくできるが、装置本体へ装着した電子基板面に対して、他の電子基板や部品からケーブルを這いまわして接続することが困難でメンテナンスが面倒となることを避けられない。
【０００５】
本発明は、上記のような状況に鑑みてなされたもので、上記幅方向（装置本体の水平方向）の設置スペースを抑制できるとともに、装置本体に装着した電子基板の実装面に対して、正面手前側からアクセス可能で他の電子基板や部品からケーブルを這いまわして接続することが容易な電子基板の取付構造の提供を、その主な目的とする。
【課題を解決するための手段】
【０００６】
上記目的を達成するために、請求項１記載の発明は、電子基板が取り付けられる筐体側部を正面視したときに、前記側部の手前側から奥側へ向けて延び実装面が筐体底面に対して略垂直となるように配置され、筐体に締結される第１の電子基板と、実装面が第１の電子基板の実装面に対して略直角となるように第１の電子基板の前記奥側の垂直辺に略平行に配置され、該奥側で筐体に締結される第２の電子基板と、実装面が第１の電子基板の実装面に対して略直角となるように第１の電子基板の前記奥側の垂直辺と隣り合う辺に略平行に配置され、筐体に締結される第３の電子基板と、を備え、第１の電子基板に対して第２の電子基板と第３の電子基板とがそれぞれ電気的に接続され、あるいは第１の電子基板、第２の電子基板及び第３の電子基板とが相互に電気的に接続され、第３の電子基板は、第３の電子基板を載置して固定する載置面と、該載置面から前記奥側において第２の電子基板の実装面と略平行に起立し、該奥側で筐体に締結される第１の締結面と、前記載置面から手前側に延び筐体に締結される第２の締結面と、を備える締結部材を介して筐体に締結されることを特徴とする。
【０００７】
請求項２に記載の発明は、請求項１に記載の電子基板の取付構造において、第１の電子基板は複数の第１の接続部を搭載し、第２の電子基板は前記奥側で前記複数の第１の接続部のうちの一つに接続される第２の接続部を搭載し、第３の電子基板は前記複数の第１の接続部のうちの一つに接続される第３の接続部を搭載していることを特徴とする。
請求項３に記載の発明は、請求項２に記載の電子基板の取付構造において、第３の接続部と、これに接続される第１の接続部は、第３の電子基板と第１の電子基板のそれぞれの前記手前側に配置されていることを特徴とする。
請求項４に記載の発明は、請求項１〜３のいずれか１つに記載の電子基板の取付構造において、前記奥側における第２の電子基板の下端と前記締結部材の第１の締結面の上端との間には上下方向において隙間が存在することを特徴とする。
【０００８】
請求項５に記載の発明は、請求項１〜４のいずれか１つに記載の電子基板の取付構造において、前記締結部材の第２の締結面は、前記手前側において左右方向へ延びる筐体フレームに沿って形成され、前記手前側から前記奥側に向けて締結されることを特徴とする。
請求項６に記載の発明は、請求項１〜４のいずれか１つに記載の電子基板の取付構造において、前記締結部材の第２の締結面は、前記手前側において左右方向へ延びる筐体フレームに沿った段差形状を有し、上側から下側に向けて締結されることを特徴とする。
請求項７に記載の発明は、請求項５又は６に記載の電子基板の取付構造において、第２の締結面は、前記筐体フレームに対して左右方向へスライド可能なスライド面を兼ね備えることを特徴とする。
【０００９】
請求項８に記載の発明は、請求項１〜７のいずれか１つに記載の電子基板の取付構造において、前記締結部材は前記載置面が分離した分割構造を有していることを特徴とする。
請求項９に記載の発明は、請求項８に記載の電子基板の取付構造において、前記各分割構造体は、前記手前側と前記奥側での使用を相互に代替可能な形状を有していることを特徴とする。
請求項１０に記載の発明は、請求項１〜９のいずれか１つに記載の電子基板の取付構造において、第１の電子基板は、第２及び第３の電子基板と接続する面と反対側の面に第４の電子基板を接続する第１の接続部を有し、第１の電子基板が締結される筐体の面の裏面側に第４の電子基板を締結したことを特徴とする。
請求項１１に記載の発明は、電子機器において、請求項１〜１０のいずれか１つに記載の電子基板の取付構造を有することを特徴とする。
【発明の効果】
【００１０】
本発明によれば、設置スペースのコンパクト化を図れるとともに、筐体（装置本体）への取付けを容易且つ確実に行うことができ、ベース基板に対する他の電子基板等の接続も容易であり、メンテナンス作業も容易に行うことができる。
【図面の簡単な説明】
【００１１】
【図１】本発明の第１の実施形態に係る電子基板の取付構造を示す図で、画像形成装置の筐体での取付状態を示す斜視図である。
【図２】電子基板の取付構造の分解斜視図である。
【図３】ビットが長いドライバで締結部材の奥側をネジ締結する状態を示す図である。
【図４】電子基板の取付構造を示す図で、（ａ）は正面図、（ｂ）は側面図である。
【図５】第４の電子基板の取付構造と第１の電子基板との接続状態を示す図である。
【図６】画像形成装置としてのインクジェットプリンタの左側から見た斜視図である。
【図７】インクジェットプリンタの概要構成図である。
【図８】インクジェットプリンタの筐体（本体フレーム）における電子基板の取付構造を示す概要図である。
【図９】本発明の電子基板の取付構造における基板の配置構成の概念を示す斜視図である。
【図１０】図９で示した基板の配置構成における問題点を説明するための図である。
【図１１】第２の実施形態における締結部材の構成を示す斜視図である。
【図１２】第３の実施形態における締結部材の構成を示す斜視図である。
【図１３】従来における電子基板の取付構造を示す斜視図である。
【発明を実施するための形態】
【００１２】
以下、本発明の実施形態について添付図面を参照して説明する。図１乃至図１０に基づいて第１の実施形態を説明する。
まず、本実施形態に係る電子機器としての画像形成装置の一例であるインクジェット記録装置について図６及び図７を参照して説明する。
なお、図６は同記録装置の全体構成を示す斜視説明図、図７は同装置の模式的側面説明図である。
このインクジェット記録装置は、シリアル型インクジェット記録装置であり、装置本体１の内部には、画像形成部２、用紙吸引搬送部３、ロール紙収納部４、電装基板収納部６などを備え、装置本体１の上部には画像読取り部（装置）７（図６では図示省略）が備えられている。また、電装基板収納部６の上方空間はチューブ移動空間５となっている。
【００１３】
画像形成部２では、図示しない両側板にガイドロッド１３及びガイドステー１４が掛け渡され、これらのガイドロッド１３及びガイドステー１４にキャリッジ１５が主走査方向（矢示Ａ方向）に摺動可能に保持されている。
キャリッジ１５には、ブラック（Ｋ）、イエロー（Ｙ）、マゼンタ（Ｍ）、シアン（Ｃ）の各色のインク滴を吐出する液体吐出ヘッドが搭載されている。各記録ヘッドには図示しないが、各記録ヘッドにインクを供給するサブタンクが一体的に備えられている。また、記録ヘッドからの液滴の吐出方向は装置本体における上下方向としている。
【００１４】
キャリッジ１５を移動走査する主走査機構は、主走査方向の一方側に配置される駆動モータ２１と、駆動モータ２１によって回転駆動される駆動プーリ２２と、主走査方向他方側に配置された従動プーリ２３と、駆動プーリ２２と従動プーリ２３との間に掛け回されたベルト部材２４とを備えている。なお、従動プーリ２３は、図示しないテンションスプリングによって外方（駆動プーリ２２に対して離れる方向）にテンションが掛けられている。
ベルト部材２４は、キャリッジ１５の背面側に設けたベルト固定部に一部分が固定保持されていることで、主走査方向にキャリッジ１５を牽引する。
キャリッジ１５の主走査方向に沿ってキャリッジの主走査位置を検知するためのエンコーダシート（図示せず）が配置され、キャリッジに設けたエンコーダセンサ（図示せず）によってエンコーダシートが読取られる。
【００１５】
キャリッジ１５における主走査領域のうち、記録領域では、用紙３０が用紙吸引搬送部３によってキャリッジ１５の主走査方向と直交する方向（副走査方向：矢示Ｂ方向）に間欠的に搬送される。
主走査領域のうち一方の端部側領域には、記録ヘッドの維持回復を行う維持回復機構１８が配置されている。主走査方向のキャリッジ移動領域外又は上記主走査領域のうち他方の端部側領域には、記録ヘッドのサブタンクに供給する各色のインクを収容したメインカートリッジ１９が装置本体１に対して着脱自在に装着されている。
ロール紙収容部４は給紙手段であり、ロール紙（用紙）３０がセットされているが、幅方向（矢示Ａ方向）のサイズが異なるロール紙がセット可能である。ロール紙３０は、その紙軸に両側からフランジ３１を装着し、フランジ受け３２に載置する。フランジ受け３２の内部には、図示しない支持コロが設けられ、支持コロがフランジ３１の外周と当接することでフランジ３１が回転し、用紙３０が給送される。
【００１６】
画像読取部７は、原稿台７１上に置かれた原稿を給紙ローラ対７２により給紙し、原稿搬送路７３において読取部である密着イメージセンサ７４により画像を読み取った後に、排紙ローラ対７５により排紙トレイ７６に排紙するように構成されている。密着イメージセンサ７４は、主走査方向（図６のＡと同じ方向）に長い形状をしており、原稿を照明する光源およびイメージセンサを有し、原稿搬送路７３において搬送されてくる原稿を照明し、該原稿からの反射光を、レンズアレイなどを通してイメージセンサ上に結像させて、光電変換を行うことにより画像信号を出力する。
密着イメージセンサ７４の上部に設けられた原稿搬送路７３を構成するコンタクトガラスに対向して、原稿を押圧する白色基準板を兼ねる圧板７７が設けられている。
【００１７】
この記録装置では、ロール紙収容部４から搬送された用紙３０は、装置本体１の後方（右側面側）から前方（左側面側）に向けて、搬送手段（搬送ローラ対３３、搬送ローラであるレジストローラ３４及びレジスト加圧ローラ３５など）により記録領域へ搬送される。
キャリッジ１５を主走査方向に移動し、用紙３０を間欠的に送りながら、記録ヘッドを画像情報に応じて駆動して下方に向けて液滴を吐出させることによって、用紙３０上に所要の画像が形成される。
画像形成後の用紙は、所定の長さにカットされ、装置本体１の左側面側に配置された図示しない排紙トレイへ排出される。
【００１８】
図８は、図６における右側面（背面）から正面視した構造体（筐体）の説明図である。
インクを供給する供給チューブ５１の上側の主走査方向には、平板状の上側ガイド部５２が設けられ、下側の主走査方向には、同じく平板状の下側ガイド部５３が設けられている。
上側ガイド部５２は、主走査方向の両側の支柱５６、５７に締結され、構造体の一部をなしている。また、供給チューブ５１は、上側部の高さ方向を維持したままキャリッジ１５の上面のガイド部に取り付けられている。供給チューブ５１がキャリッジ１５に対してこのように取り付けられていることから、図８の右方向にキャリッジ１５が移動開始するとき又は加速するときには、供給チューブ５１の上側部５１ｃが上方へ撓む場合があるので、上側ガイド部５２によってこの供給チューブ５１の上方への撓みを規制している。
【００１９】
下側ガイド部５３は、図７に示す電装基板収納部６とチューブ移動空間５とを仕切るようにして、支柱５６、５７に締結されている。
電装基板収納部６では、電装基板収納部６を上下２つの空間に仕切るように仕切り板５４が支柱５６、５７に締結されている。
上の空間には電子基板７１が設けられ、その横には電子基板７２が設けられている。一方、下の空間には、左右方向に３つの空間に仕切るようにして底板５５と仕切り板５４とに締結される仕切り板６２、６３が設けられている。
仕切り板６２、６３で区画された空間部には、第１の電子基板７３と、第２の電子基板７４と、第３の電子基板７５とが取り付けられている。
電子基板が取り付けられる筐体側部としての装置右側面（背面）を正面視したときに、第１の電子基板７３は、手前側から奥側へ向けて延びその実装面が筐体底面としての底板５５に対して略垂直となるように配置され、仕切り板６２に締結されている。第１の電子基板７３は、画像・印字データを処理するメイン基板（ベース基板）である。
第２の電子基板７４は、その実装面が第１の電子基板７３の実装面に対して略直角となるように第１の電子基板７３の奥側の垂直辺に略平行に配置され、該奥側で後側板２５に締結されている。第２の電子基板７４は、モータなどの駆動関連の処理をする基板であり、その実装面は正面に向いている。
第３の電子基板７５は、その実装面が第１の電子基板７３の実装面に対して略直角となるように第１の電子基板７３の奥側の垂直辺と隣り合う辺に略平行に配置され、後述する締結部材を介して底板５５に間接的に締結されている。第３の電子基板７５は、スキャナ関連など画像データを処理する基板であり、その実装面を上方に向けて配置されている。
【００２０】
図９は第１の電子基板７３、第２の電子基板７４、第３の電子基板７５の配置形態を示す斜視図である。
ベース基板としての第１の電子基板７３の奥側には第１の接続部としてのコネクタ８が搭載され、手前側には第１の接続部としてのコネクタ９が搭載されている。符号７３ａは第１の電子基板７３の奥側の垂直辺を示し、７３ｂは垂直辺７３ａに隣り合う辺を示している。
第２の電子基板７４の垂直辺７３ａ側には、コネクタ８に接続される第２の接続部としてのコネクタ１０が搭載されており、第３の電子基板７５の辺７３ｂ側の手前側には、コネクタ９に接続される第３の接続部としてのコネクタ１１が搭載されている。
このように、ベース基板としての第１の電子基板７３を手前側から奥側に向けて延設して配置し、他の複数の電子基板をそれぞれが正面視において重複しないようにベース基板面に結合させる配置とすれば、幅方向（図８のＡ方向）の設置スペースを抑制できるとともに、装置本体に装着した状態の電子基板面に対して、他の電子基板や部品からケーブルを這いまわして容易に接続できる。
【００２１】
ここで、第２の電子基板７４と第３の電子基板７５をベース基板である第１の電子基板７３にコネクタ接続した後に、本体側へ固定する場合、基板同士が近接する位置（矢印Ｎの位置）に向けてネジ固定すると、第２の電子基板７４はビットが長いドライバにより、マシン外部（装置背面の手前側）からドライバの柄を回すことでネジ締結できる（例えば図３参照）。
しかしながら、このようなビットが長いドライバ２６を使って第３の電子基板７５をＫ、Ｎ方向からネジ締結しようとすると、図１０に示すように、構造体の上面（仕切り板５４）にぶつかり、ドライバで締結することができない。また、ビットが短いドライバ２７を使ったとしても、柄が第２の電子基板７４にぶつかり、正しくネジ締結できない。すなわち、他の基板が邪魔でネジ固定するためのスペースを確保できない。
さらに、第３の電子基板７５は、基板面が上下方向に向いているため、手前側（矢印Ｋ）のみ固定する形態とすると、電子機器の振動（例えば輸送時など）に対して基板が上下方向に撓みやすくコネクタへ負荷が集中してしまう。
【００２２】
本実施形態ではこのようなネジ締結の問題を克服して図９に示した基板配置形態の実用化に目処を付けたものである。以下にその構成の詳細を説明する。
図１は、本体説明図８と同じ背面からみた斜視図である。支柱５６、５７の奥側には、それぞれ支柱５８、５９が設けられ、これらは横柱６０で固定されている（右側の横柱は省略）。
第３の電子基板７５は、該電子基板を載置する載置面を有する締結部材としてのブラケット６４と例えばネジ締結により一体化され、ブラケット６４を後側板２５及び底板５５にネジ締結することにより装置本体に間接的に固定されている。
第１の電子基板７３、第２の電子基板７４及び第３の電子基板７５は、上板としての仕切り板５４と底板５５との間の空間をさらに仕切り板６２、６３で区画された、構造体フレーム背面の電装ボックス６５内に収納されている。
電装ボックス６５の図１中左外側には、仕切り板６２を境にして第４の電子基板６７が後側板２５に固定して配置されている。
【００２３】
図示しないが、背面手前には開閉可能なカバーがあり、カバーをはずすことにより、電装ボックス６５等が開放され、各電子基板にアクセス可能となる。
電装ボックス６５の上部には、機器内部にあるキャリッジ駆動関連やセンサなどに関する電子基板７１や電子基板７２に信号を送るためのハーネスを通すための開口部６６が設けられている。ハーネスは、この開口部６６を通り信号を基板間に伝える。
【００２４】
各電子基板の取付手順を図２に基づいて説明する。まず、第１の電子基板７３を実装面が電装ボックス６５の内方へ向くように仕切り板６２にネジ６７で固定し、正面視において手前から奥に向けて配置し、第１の電子基板７３が一体となった仕切り板６２を本体フレームの手前と後側板２５にネジ締結する。仕切り板６２には開口部６２ａが形成されている。
次に、第２の電子基板７４は、正面視において実装面を正面に向けて奥側の後側板２５に配置され、後側板２５に対して並行に左側へスライドさせて、コネクタ１０を第１の電子基板７３のコネクタ８に接続する。接続された後に、正面から奥側に向けてビットドライバを使用してネジ締結する。符号４１〜４４、８１〜８８はネジ穴を、７３ｈ、７４ｈ、７５ｈ、６４ｈはネジ挿通孔を示している。
次に、ネジ締結や接着等の手段により実装面を上に向けてブラケット６４と一体化された第３の電子基板７５は、底板５５の上面にあてがった後左側へスライドさせてコネクタ１１を第１の電子基板７３のコネクタ９に接続した後、正面から奥側に向けてビットドライバを使用してネジ締結される。
【００２５】
ブラケット６４は、第３の電子基板７５を載置して固定する載置面６４ａと、載置面６４ａから奥側において第２の電子基板７４の実装面と略平行に起立し、奥側で筐体（後側板２５）に締結される第１の締結面６４ｂと、載置面６４ａから手前側に延び筐体（底板５５）に締結される第２の締結面６４ｃとを備えている。
図３は、ビットが長いドライバ２６によりブラケット６４の第１の締結面６４ｂを後側板２５にネジ固定する状態を示している。なお、第２の締結面６４ｃにおけるネジ挿通孔は省略している。
第２の締結面６４ｃも上記ビットが短いドライバ２７やビットが長いドライバ２６により同様に底板５５の前側面にネジ固定することができる。
【００２６】
本実施形態では、第２の締結面６４ｃを載置面６４ａに対して下方に略直角に折れ曲がった形状としたが、載置面６４ａから手前側へ水平に延び、底板５５の上面にビットが短いドライバ２７で固定するようにしてもよい。
また、第３の電子基板７５をブラケット６４を介して電装ボックス６５の下面（底板５５上面）に固定する形態としたが、上面（仕切り板５４の下面）に固定するようにしてもよい。この場合、第３の電子基板７５の実装面は下方に向き、各基板上においてコネクタ９とコネクタ１１は手前側に配置する。
【００２７】
このようにブラケット６４を介して第３の電子基板７５を固定するようにすれば、本来上下方向からなされるべきネジ固定の操作方向を正面側からのみに変換することができ、障害を伴うことなく容易に締結することができる。
また、第３の電子基板７５のコネクタ１１と第１の電子基板７３のコネクタ９を正面視において手前側に配置しているので、作業者が接続状態を視認しやすくなるため作業性等を向上させることができる。
上記のように各電子基板を配置・接続するようにすれば、図１に示すように、幅方向（装置本体水平方向）の設置スペースを抑えることができるとともに、本体に装着した電子基板面に対して、それぞれ正面からアクセス可能であるため、各電子基板に接続されるハーネスなどの着脱作業などの作業性・組立性が向上する。また、各電子基板とも、小型のオプション基板（メモリ増設など）を装着することも容易になる。
【００２８】
図４は、各電子基板を接続した状態での、正面図と側面図である。第２の電子基板７４と第３の電子基板７５を支持するブラケット６４との間、厳密には第２の電子基板７４の下端と第１の締結面６４ｂの上端との間には隙間αが設けられている。
これにより、各電子基板をそれぞれ独立して組付け可能になり、電子基板不良などよる交換作業時に取外し・取付けに順序性が出ず、作業性を向上させることができる。
図４（ｂ）では分かり易くするために、ブラケット６４のみを断面表示し、ネジ締結構造は省略している。
【００２９】
図５に示すように、第４の電子基板６７は、第１の電子基板７３の支持フレームである仕切り板６２の開口部６２ａを利用して配置されている。
すなわち、第１の電子基板７３の裏面側には第１の接続部としてのコネクタ６８が設けられており、第４の電子基板６７には第４の接続部としてのコネクタ６９が設けられている。
第４の電子基板６７は、第２の電子基板７４と同様に、正面視において実装面を正面に向けて奥側の後側板２５に配置され、後側板２５に対して並行に右側へスライドさせて、コネクタ６９を第１の電子基板７３のコネクタ６８に接続する。接続された後に、正面から奥側に向けてビットドライバを使用してネジ締結する。
これにより、第１の電子基板７３の両面から基板接続が可能になり、第１の電子基板７３を支持するブラケット（仕切り板６２）の強度を維持しながら複数の電子基板の支持が可能となる。
【００３０】
図１１に第２の実施形態を示す。なお上記実施形態と同一部分は同一符号で示し、特に必要がない限り既にした構成上及び機能上の説明は省略して要部のみ説明する（以下の他の実施形態において同じ）。
本実施形態における締結部材としてのブラケット６４’は、載置面６４ａをその中央部から分離した分割構成を有している。
分割ブラケット６４Ａは第１の締結面６４ｂと、載置面６４ａ−１を有し、分割ブラケット６４Ｂは第２の締結面６４ｃと載置面６４ａ−２を有している。
各分割ブラケットは、載置面６４ａ−１、６４ａ−２を個別に第３の電子基板７５に固定される。
分割ブラケット６４Ａと分割ブラケット６４Ｂは同一部品であり、その使用勝手において、反転させることにより互いに代替可能となっている。
したがって、同一部品によるコストダウンや、作業性の向上を図ることができる。
なお、図１１ではブラケット６４’の厚みは省略して表示している（図１２において同じ）。
【００３１】
図１２に第３の実施形態を示す。
本実施形態における締結部材としてのブラケット６４”は、第２の締結面ｃが、底板５５の前側面に沿った締結面６４ｃ−１と、締結面６４ｃ−１から正面視手前側へ略直角に延びる締結面６４ｃ−２とから構成されている。
ネジ挿通孔６４ｈは締結面６４ｃ−２に形成されており、これにより上側から下側に向けて締結操作を行うことができる。
このように、締結部材としてのブラケット６４の形状を変えることにより締結操作の方向を変換することができ、筐体フレームの形状に応じて変更することにより取付操作性の向上を図ることができる。
【符号の説明】
【００３２】
８、９  第１の接続部としてのコネクタ
１０  第２の接続部としてのコネクタ
１１  第３の接続部としてのコネクタ
５５  筐体底面としての底板
６４、６４’、６４”  締結部材としてのブラケット
６４ａ  載置面
６４ｂ  第１の締結面
６４ｃ  第２の締結面
６７  第４の電子基板
６８  第１の接続部としてのコネクタ
７３  第１の電子基板
７３ａ  奥側の垂直辺
７３ｂ  隣り合う辺
７４  第２の電子基板
７５  第３の電子基板
【先行技術文献】
【特許文献】
【００３３】
【特許文献１】特開２００６−３０９０５８号公報
【特許文献２】特開２００９−１５１０３４号公報
【特許文献３】特開２００８−１５３３６３号公報
【図１】
0005494004.tif 000002
【図２】
0005494004.tif 000003
【図３】
0005494004.tif 000004
【図４】
0005494004.tif 000005
【図５】
0005494004.tif 000006
【図６】
0005494004.tif 000007
【図７】
0005494004.tif 000008
【図８】
0005494004.tif 000009
【図９】
0005494004.tif 000010
【図１０】
0005494004.tif 000011
【図１１】
0005494004.tif 000012
【図１２】
0005494004.tif 000013
【図１３】
0005494004.tif 000014